(57)【要約】【構成】輸液スタンド部１００と輸液注入部１０１と当該輸液スタンド部１００と当該輸液注入部１０１とを繋ぐ連設部１０３とを備えてなる輸液装置１。【効果】  本発明の輸液装置は、輸液スタンド部と輸液注入部とが、当該輸液スタンド部及び当該輸液注入部間の連設部により一体となっており、輸液スタンド部側は、輸液の供給装置側となすことができ、又、輸液注入部側は、上肢を乗せて注射をなし得る輸液の注入側となすことができ、これらの機能を同時に備えているので、適宜位置に両者が一体となった輸液装置を運び、ベットに寝ながらの点滴は勿論、例えば、車椅子に乗っていても、又、椅子に座っていても、点滴が可能であり、又、輸血もなし得る。  診察台の上でも勿論可能で、何処でも点滴が出来るので、場所をとらず、省スペ−スで輸液を行うことができ、今後の増々の患者増加によるベット数の不足に対処でき、又、病院のスペ−スの改善に繋がる。【選択図】        図１
2011019668.tif 000002
【特許請求の範囲】
【請求項１】
輸液スタンド部と輸液注入部と当該輸液スタンド部と当該輸液注入部とを繋ぐ連設部とを備えてなることを特徴とする輸液装置。
【請求項２】
連設部の輸液スタンド部側の連設部（以下、スタンド側連設部という。）により、当該輸液スタンド部に連設され、当該連設部の輸液注入部側の連設部（以下、注入側連設部という。）が、輸液注入部側の注射・上肢台部の下部のパイプ部と連設されてなることを特徴とする、請求項１に記載の輸液装置。
【請求項３】
輸液スタンド部が、ストッパ−部と水平竿部とフック部と水平竿回転支持部とスタンド側支柱部とを有してなることを特徴とする、請求項１に記載の輸液装置。
【請求項４】
輸液注入部が、注射・上肢台部とパイプ部と注入側支柱部と脚部とキャスタ−部とを有してなることを特徴とする、請求項１に記載の輸液装置。
【請求項５】
スタンド側連設部にスタンド側支柱部調節部が取付けられており、当該スタンド側支柱部調節部により、当該スタンド側連設部の内部に挿通されたスタンド側支柱部の高さ調節や角度調節などの調節を行うことができるようになっていることを特徴とする、請求項１に記載の輸液装置。
【請求項６】
注入側連設部に当該注入側連設部の内部に挿通されたパイプ部の高さ調節や角度調節などの調節を行うことができる注入側調節部が取付られてなることを特徴とする、請求項１に記載の輸液装置。
【請求項７】
注入側連設部の下部のパイプ支持部に注入支柱部側調節部が取付られ、当該注入支柱部側調節部により当該パイプ支持部の内部を挿通するパイプ部の高さ調節や角度調節などの調節を行うことができるようになっていることを特徴とする、請求項１に記載の輸液装置。
【発明の詳細な説明】
【技術分野】
【０００１】
本発明は、輸液装置に関するものである。
【背景技術】
【０００２】
患者などが、口から水分や食事等が摂れない場合に、水分・電解質・栄養素など（薬液）の補充を目的に輸液が行われている。血液成分の投与についての輸血も当該輸液に包含される。輸液には、一般に、点滴装置が使用され、当該点滴装置は、例えば、ガラス瓶或いは合成樹脂製バッグに無菌的に充填された薬液と、患者の静脈に刺入される注射針とが、「点滴ライン」或いは「点滴セット」と称される専用のチュ−ブで繋がれたものより構成される。端的には、高所に置いた灌注器から液を滴下させゴム管で接続した注射針によって静脈内に注入する方法が取られる。静脈であっても相応の血圧が存在するので、圧力をかけるため薬液は高い位置に吊す必要があり、点滴ラインの途中には「チャンバ−」と呼ばれる太くなった箇所があり、ここに薬液が滴下される（「点滴」という呼称はここから来ている）。これにより薬液中の微小な気泡が除去されると共に時間当たりの注入量（＝注入速度）を測ることができる。注入速度は「ロ−ラ−クレンメ」というころ状の部品でチュ−ブを圧迫し、狭窄させることによって調節するが、正確な管理が要求される場合は輸液ポンプが用いられる。点滴ではないが、微量の薬剤を持続的に投与する方法としては注射器をすこしずつ押すシリンジポンプも用いられる。急速に薬剤を注入するときは、加圧バックで薬液を圧迫する方法もとられる。
輸液装置（点滴装置）には、例えば、図７に示すような、点滴装置７が用いられる。当該点滴装置７は、水平竿部７００とフック部７０１とスタンド部７０２とを備え、当該フック部７０１に、薬液７０３の収納された輸液ボトル７０４を吊り下げ、高さ調節部７０５により当該薬液７０３の供給位置を調節して、患者の上肢の静脈内に注入する。当該点滴装置７は、取付金具７０６を具備しており、当該取付金具７０６にてベット７０７に当該点滴装置を取付固定して点滴を行うようになっている。
しかるに、当該図示のように、点滴を受ける人間は、ベット等に寝た状態にて、点滴を受けることになる。そうなると、現今、患者の増加でベットの絶対数も不足がちであるのに加えて、当該ベットにて点滴を受けざるを得ないとなると、病院のスペ−スを取ってしまうしまうことになる。
当該点滴装置をキャスタ−付きで移動可能にしたものもある。例えば、図８に示すように、点滴容器を吊すことのできる支柱８０１の下端部に当該支柱８０１を支持するベース部材８０２を設け、当該ベ−ス部材８０２にキャスタ−８０３を設けることにより、点滴容器を吊した状態で病院内を移動できるようになっている点滴スタンド８がある。
当該点滴スタンドによれば、当該キャスタ−８０３の車輪８０４が床面等の移動面を転動することにより支柱８０１が起立した状態で床面等を移動できるようになっているが。この場合も、移動できると言っても、前記の点滴装置と同様に、いずれにしても、寝た状態にて点滴を受けざるを得ない様になっている。
【発明の開示】
【発明が解決しようとする課題】
【０００３】
本発明は、上記のような従来技術の欠点を解消できる技術を提供することを目的としたものである。
本発明の他の目的および新規な特徴は以下の明細書及び図面の記載からも明らかになるであろう。
【課題を解決するための手段】
【０００４】
本発明の特許請求の範囲は、次の通りである。
（請求項１）  輸液スタンド部と輸液注入部と当該輸液スタンド部と当該輸液注入部とを繋ぐ連設部とを備えてなることを特徴とする輸液装置。
（請求項２）  連設部の輸液スタンド部側の連設部（以下、スタンド側連設部という。）により、当該輸液スタンド部に連設され、当該連設部の輸液注入部側の連設部（以下、注入側連設部という。）が、輸液注入部側の注射・上肢台部の下部のパイプ部と連設されてなることを特徴とする、請求項１に記載の輸液装置。
（請求項３）  輸液スタンド部が、ストッパ−部と水平竿部とフック部と水平竿回転支持部とスタンド側支柱部とを有してなることを特徴とする、請求項１に記載の輸液装置。
（請求項４）  輸液注入部が、注射・上肢台部とパイプ部と注入側支柱部と脚部とキャスタ−部とを有してなることを特徴とする、請求項１に記載の輸液装置。
（請求項５）  スタンド側連設部にスタンド側支柱部調節部が取付けられており、当該スタンド側支柱部調節部により、当該スタンド側連設部の内部に挿通されたスタンド側支柱部の高さ調節や角度調節などの調節を行うことができるようになっていることを特徴とする、請求項１に記載の輸液装置。
（請求項６）  注入側連設部に当該注入側連設部の内部に挿通されたパイプ部の高さ調節や角度調節などの調節を行うことができる注入側調節部が取付られてなることを特徴とする、請求項１に記載の輸液装置。
（請求項７）  注入側連設部の下部のパイプ支持部に注入支柱部側調節部が取付られ、当該注入支柱部側調節部により当該パイプ支持部の内部を挿通するパイプ部の高さ調節や角度調節などの調節を行うことができるようになっていることを特徴とする、請求項１に記載の輸液装置。
【発明の効果】
【０００５】
本願において開示される発明のうち代表的なものによって得られる効果を簡単に説明すれば、下記のとおりである。
すなわち、本発明によれば、その輸液装置は、輸液スタンド部と輸液注入部とが、当該輸液スタンド部及び当該輸液注入部間の連設部により一体となっており、輸液スタンド部側は、輸液の供給装置側となすことができ、又、輸液注入部側は、上肢を乗せて注射をなし得る輸液の注入側となすことができ、これらの機能を同時に備えているので、適宜位置に両者が一体となった輸液装置を運び、ベットに寝ながらの点滴は勿論、例えば、車椅子に乗っていても、又、椅子に座っていても、点滴が可能であり、又、輸血もなし得る。
診察台の上でも勿論可能で、何処でも点滴が出来るので、場所をとらず、省スペ−スで輸液を行うことができ、今後の増々の患者増加によるベット数の不足に対処でき、又、病院のスペ−スの改善に繋がる。
【０００６】
次に、本発明の実施例を図面を参照しつつ説明する。
【実施例】
【０００７】
図１及び図２に示すように、本発明の輸液装置１は、輸液スタンド部１００と輸液注入部１０１と当該輸液スタンド部１００と当該輸液注入部１０１とを繋ぐ連設部１０３とを備えてなる。
当該輸液スタンド部１００は、ストッパ−部１００１と水平竿部１００２とフック部１００３と水平竿回転支持部１００４とスタンド側支柱部１００５とを有してなる。
当該輸液注入部１０１は、注射・上肢台部１０１０とパイプ部１０１１と注入側支柱部１０１２と脚部１０１３とキャスタ−部１０１４とを有してなる。
当該連設部１０３は、当該輸液スタンド部１００側の連設部１０３０により、当該輸液スタンド部１００に連設されている。当該輸液スタンド部１００側の連設部（スタンド側連設部）１０３０の内部には、前記のスタンド側支柱部１００５が挿通している。
当該スタンド側連設部１０３０には、スタンド側支柱部調節部１０４Ａが取付けられており、当該スタンド側支柱部調節部１０４Ａにより、当該スタンド側連設部１０３０の内部に挿通されたスタンド側支柱部１００５の高さ調節や角度調節などの調節を行うことができるようになっている。
当該連設部１０３の注入側他端部（注入側連設部）１０３１は、当該輸液注入部１０１側の注射・上肢台部１０１０の下部のパイプ部１０１１と連設されている。当該パイプ部１０１１が当該注入側連設部１０３１の内部に挿通しており、当該注入側連設部１０３１には、当該注入側連設部１０３１の内部に挿通された当該パイプ部１０１１の高さ調節や角度調節などの調節を行うことができる注入側調節部１０４Ｂが取付られている。
当該注入側連設部１０３１の下部には、パイプ支持部１０１３が設けられ、当該パイプ支持部１０１３には、注入支柱部側調節部１０４Ｃが取付られている。当該注入支柱部側調節部１０４Ｃは、当該パイプ支持部１０１３の内部を挿通するパイプ部１０１１の高さ調節や角度調節などの調節を行うことができる。当該パイプ部１０１１は、前記のように、注入側連設部１０３１の内部を挿通していると共に、その下部で、当該パイプ支持部１０１３の内部に挿通されている。更に、当該パイプ支持部１０１３の下部の注入側支柱部１０１２の内部に挿通されている。
当該パイプ部１０１１は、注射・上肢台部１０１０を支持しており、注入支柱部側調節部１０４Ｃにより、当該パイプ部１０１１の上下に応じて、当該注射・上肢台部１０１０を上下調節などをして適宜位置での注射などを可能とする。
【０００８】
図３に示すように、輸液注入部１０１における注射・上肢台部１０１０の下部のパイプ部１０１１は、注入側連設部１０３１の内部に挿通しており、注入側調節部１０４Ｂの調節（押圧）により、当該パイプ部１０１１を当該注入側連設部１０３１の内部の適宜位置に止め、当該パイプ部１０１１の上部の注射・上肢台部１０１０を適宜位置とすることができる。
図３に示すように、輸液注入部１０１における注射・上肢台部１０１０の下部のパイプ部１０１１は、パイプ支持部１０１３の内部に挿通しており、注入支柱部側調節部１０４Ｃの調節（押圧）により、当該パイプ部１０１１を当該パイプ支持部１０１３の内部の適宜位置に止め、当該パイプ部１０１１の上部の注射・上肢台部１０１０を適宜位置とすることができる。
図３に示すように、輸液注入部１０１における注射・上肢台部１０１０の下部のパイプ部１０１１は、注入側支柱部１０１２の内部に挿通している。
一方、輸液スタンド部１００側では、スタンド側支柱部１００５がスタンド側連設部１０３０の内部に挿通され、スタンド側支柱部調節部１０４Ａの調節（押圧）により、当該スタンド側支柱部１００５を当該スタンド側連設部１０３０の内部の適宜位置に止め、当該スタンド側支柱部１００５を適宜位置とし、当該スタンド側支柱部１００５の上部の輸液スタンド部１００のフック部１００３の位置（高さ）を適宜位置とすることができる。
輸液スタンド部１００と輸液注入部１０１とは連設部１０３を介して連結されており、これら輸液スタンド部１００と輸液注入部１０１とを一体とし、共に、移動させることができ、適宜位置に移動後に、その位置にて、スタンド側支柱部調節部１０４Ａの調節（押圧）により輸液の供給位置を適宜の位置とし、一方、当該注入側調節部１０４Ｂの調節（押圧）により輸液の際の上肢への注射位置を適宜のものとすることができる。
【０００９】
図４に示すように、輸液スタンド部１００の水平竿部１００２の両端には、フック部１００３が設けられており、当該フック部１００３に、無菌的に薬液が充填された例えばガラス瓶或いは合成樹脂製バッグが吊り下げられ、患者の静脈に刺入される注射針との間に「点滴ライン」や「点滴セット」が構築される。
当該水平竿部１００２は、水平竿回転支持部１００４に支持され、スタンド側支柱部１００５の周りを周回することができるようになっている。当該水平竿回転支持部１００４の回転により、上記薬液が充填されたバッグの角度などを調節できる。当該水平竿回転支持部１００４の回転は、ストッパ−部１００１により止めることができる。当該ストッパ−部１００１の脱着により、当該水平竿回転支持部１００４や水平竿部１００２を脱着して、当該水平竿部１００２の交換や薬液が充填されたバッグの新たな交換等をなすことができる。
【００１０】
本発明の輸液装置１は、輸液スタンド部１００と輸液注入部１０１とが、当該輸液スタンド部１００及び当該輸液注入部１０１間の連設部１０３により一体となっており、輸液スタンド部１００側は、輸液の供給装置側となすことができ、又、輸液注入部１０１側は、上肢を乗せて注射をなし得る輸液の注入側となすことができ、これらの機能を同時に備えているので、適宜位置に両者が一体となった輸液装置１を運び、ベットに寝ながらの点滴は勿論、例えば、図５に示すように、車椅子Ｃに乗っていても、又、図６に示すように、椅子Ｋに座っていても、点滴が可能であり、又、輸血もなし得る。
図示していないが、診察台の上でも可能で、何処でも点滴が出来るので、場所をとらず、省スペ−スで輸液を行うことができ、今後の増々の患者増加によるベット数の不足に対処でき、又、病院のスペ−スの改善に繋がる。
【００１１】
本発明は上記実施例に限定されず、適宜変更が可能である。例えば、前記実施例では、スタンド側支柱部調節部１０４Ａ、注入側調節部１０４Ｂ及び注入支柱部側調節部１０４Ｃについて、ネジ部材による調節機能を示したが、他の態様によってもよい。
【産業上の利用可能性】
【００１２】
本発明は、医療用の他家庭での点滴などに使用できる。
【図面の簡単な説明】
【００１３】
【図１】本発明の実施例を示す輸液装置の構成図である。
【図２】本発明の実施例を示す輸液装置の同側面から見た構成図である。
【図３】本発明の実施例を示す輸液装置の一部拡大断面図である。
【図４】本発明の実施例を示す輸液装置の他の一部拡大断面図である。
【図５】本発明の輸液装置の使用態様の一例説明図である。
【図６】本発明の輸液装置の使用態様の他の一例説明図である。
【図７】従来例を示す輸液装置の構成図である。
【図８】従来例を示す輸液装置の他の構成図である。
【符号の説明】
【００１４】
１…輸液装置
１００…輸液スタンド部
１０１…輸液注入部
１０３…連設部
１０４Ａ…スタンド側支柱部調節部
１０４Ｂ…注入側調節部
１０４Ｃ…注入支柱部側調節部
１００１…ストッパ−部
１００２…水平竿部
１００３…フック部
１００４…水平竿回転支持部
１００５…スタンド側支柱部
１０１０…注射・上肢台部
１０１１…パイプ部
１０１２…注入側支柱部
１０１３…脚部
１０１４…キャスタ−部
１０３０…スタンド側連設部
１０３１…注入側連設部
【図１】
2011019668.tif 000003
【図２】
2011019668.tif 000004
【図３】
2011019668.tif 000005
【図４】
2011019668.tif 000006
【図５】
2011019668.tif 000007
【図６】
2011019668.tif 000008
【図７】
2011019668.tif 000009
【図８】
2011019668.tif 000010